【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
人間又は動物の身体の場所又はその近辺に配置され、前記身体を介して信号を送受信するように構成される身体結合通信装置であって：
装置及び身体の間で信号をつなぐように構成される複数のカプラーを含むカプラー配列；
前記装置の動作モードに依存して、前記信号を処理するように構成される第１プロセッサ；
前記カプラー配列のカップリング・モードの間で選択が行われるように、前記第１プロセッサ及び前記カプラーの間で前記信号の可変ルーティングを提供するように構成されるルーティング・ネットワークであって、各々のカップリング・モードの選択は、前記装置及び前記身体の間で前記信号をつなぐためにカップリング・インピーダンスを提供するように構成されるカプラーを選択することにより行わる、ルーティング・ネットワーク；及び
前記動作モード間で前記装置を切り替え、前記装置の動作モードに基づいて前記カップリング・モード間で選択を行うために前記ルーティング・ネットワークを制御するように構成される第２プロセッサ；
を有し、前記第２プロセッサは、前記第１プロセッサが低い周波数の信号で動作するように構成される低周波モードと、前記第１プロセッサが高い周波数の信号で動作するように構成される高周波モードとの間で前記装置を切り替えるように動作することが可能であり；
前記ルーティング・ネットワークは、前記低周波モードで少なくとも１つの追加的なカプラーを前記第１プロセッサに接続し、前記カプラーの全体的なカップリング面積を増やすように制御される、身体結合通信装置。
【請求項２】
前記第２プロセッサは：
送信機動作モードであって、送信機は前記信号を生成するように制御され、前記ルーティング・ネットワークは、送信機カップリング・モードを提供するように制御され、少なくとも１つのカプラーが前記送信機に接続される、送信機動作モード；
受信機動作モードであって、受信機は前記信号を処理するように制御され、前記ルーティング・ネットワークは受信機カップリング・モードを提供するように制御され、少なくとも１つのカプラーが前記受信機に接続される、受信機動作モード；及び
スリープ動作モードであって、ウェークアップ部はウェークアップ信号を検出するように制御され、前記ルーティング・ネットワークは、ウェークアップ・カップリング・モードを提供するように制御され、少なくとも１つのカプラーが前記ウェークアップ部に接続される、スリープ動作モード；
の間で前記装置を切り替えるように動作することが可能である、請求項１に記載の身体結合通信装置。
【請求項３】
前記ルーティング・ネットワークは、少なくとも：
前記カプラーのうちの第１セットが前記第１プロセッサに接続される第１カップリング・モード；及び
第２カップリング・モードであって、前記カプラーのうちの第２セットが前記第１プロセッサに接続され、１つ以上のカプラーは、前記カプラーの第１セット及び第２セット双方の一部分である、第２カップリング・モード；
を提供するように動作することが可能である、請求項１に記載の身体結合通信装置。
【請求項４】
前記ルーティング・ネットワークは、少なくとも：
前記カプラー配列のうちの第１カプラーが第１信号ノードに接続される第１カップリング・モード；及び
前記カプラー配列のうちの第１カプラーが、前記第１信号ノードとは異なる第２信号ノードに接続される第２カップリング・モード；
を提供するように動作することが可能である、請求項１に記載の身体結合通信装置。
【請求項５】
前記カプラー配列は、前記カプラーとして動作する個々に接続可能な複数の導電性プレートを含む、請求項１に記載の身体結合通信装置。
【請求項６】
前記導電性プレートは、装置の外側表面に平行に配置される、請求項５に記載の身体結合通信装置。
【請求項７】
前記カプラー配列は、少なくとも：
装置の外側表面から第１距離に配置される第１及び第２カプラー；及び
前記外側表面から第２距離に配置される第３カプラーであって、前記第２距離は前記第１距離より長い、第３カプラー；
を有する、請求項１に記載の身体結合通信装置。
【請求項８】
第１カプラーが第１櫛型構造を有し、第２カプラーが第２櫛型構造を有し；
各々の櫛型構造は、互いに平行に配置される複数の導電性ラインにより形成され、平行な導電性ラインを横断する導電性ベース・ラインにより接続され；
前記第１及び第２櫛型構造は、前記装置の表面の場所又はその近辺に配置され、前記第１櫛型構造の平行なラインが前記第２櫛型構造の平行なラインと噛み合って互いに対面している；
請求項１に記載の身体結合通信装置。
【請求項９】
高周波モードに切り替わる場合に、前記第１及び第２カプラーを櫛型構造に接続し、及び、低周波モードに切り替わる場合に、前記第１及び第２カプラーのうち少なくとも何れかを櫛型構造から分離するように、前記第２プロセッサは前記ルーティング・ネットワークを制御するように構成される、請求項８に記載の身体結合通信装置。
【請求項１０】
インピーダンス制御回路が、前記第１プロセッサと１つ以上のカプラーとの間の電気経路に接続される、請求項１に記載の身体結合通信装置。
【請求項１１】
前記ルーティング・ネットワークはウェークアップ・カップリング・モードを提供するように構成され、ウェークアップ部と少なくとも１つのカプラーとの間の電気経路に共振回路が接続され、前記共振回路は、ウェークアップ信号の周波数に一致する共振周波数を有し、前記ウェークアップ信号は、スリープ動作モードから前記装置を起こすように前記ウェークアップ部をトリガする、請求項１に記載の身体結合通信装置。
【請求項１２】
前記第２プロセッサは、低インピーダンス・モードと高インピーダンス・モードとの間で装置を切り替えるように動作することが可能であり、前記第２プロセッサは、前記第１プロセッサと前記カプラーとの間のインピーダンス制御回路を切り替えることにより、前記カプラーの入力又は出力インピーダンスを変更するために前記ルーティング・ネットワークを制御するように構成される、請求項１に記載の身体結合通信装置。
【請求項１３】
身体結合通信のための方法であって：
人間又は動物の身体の場所又はその近辺に身体結合通信装置を提供すること；
第２プロセッサが、装置を第１動作モードに設定し、動作モードに応じて信号を処理及び生成すること；
前記装置及び前記身体の間のカップリングを決定する第１カップリング・モードを選択することであって、前記第１カップリング・モードの選択は、前記装置と前記身体の間で第１カップリング・インピーダンスを提供するように構成される第１カプラーの選択を含む、こと；
前記第１カップリング・モードで前記装置及び前記身体の間で前記信号をつなぐことによって、前記第１動作モードで前記身体を介して前記信号を送受信すること；及び
前記装置を第２動作モードに切り替え、前記装置の第２動作モードに基づいて第２カップリング・モードを選択すること；
を有し、前記第２動作モードを選択することは第２カプラーを選択することを含み、前記第２カップリング・モードは、前記装置及び前記身体の間で、第２カップリング・インピーダンスを有し、
前記第２プロセッサは、第１プロセッサが低い周波数の信号で動作するように構成される低周波モードと、前記第１プロセッサが高い周波数の信号で動作するように構成される高周波モードとの間で前記装置を切り替えるように動作することが可能であり；
前記カプラーの全体的なカップリング面積を増やすために、少なくとも１つの追加的なカプラーが前記低周波モードで前記第１プロセッサに接続される、方法。
【請求項１４】
１つ以上の実行可能な命令を保存する非一時的なコンピュータ読み取り可能な記憶媒体であって、前記命令は、プロセッサにより実行されると、身体結合通信のための方法を前記プロセッサに実行させ、前記方法は：
人間又は動物の身体の場所又はその近辺に身体結合通信装置を提供すること；
第２プロセッサが、装置を第１動作モードに設定し、動作モードに応じて信号を処理及び生成すること；
前記装置及び前記身体の間のカップリングを決定する第１カップリング・モードを選択することであって、前記第１カップリング・モードの選択は、前記装置と前記身体の間で第１カップリング・インピーダンスを提供するように構成される第１カプラーの選択を含む、こと；
前記第１カップリング・モードで前記装置及び前記身体の間で前記信号をつなぐことによって、前記第１動作モードで前記身体を介して前記信号を送受信すること；及び
前記装置を第２動作モードに切り替え、前記装置の第２動作モードに基づいて第２カップリング・モードを選択すること；
を有し、前記第２動作モードを選択することは第２カプラーを選択することを含み、前記第２カップリング・モードは、前記装置及び前記身体の間で、第２カップリング・インピーダンスを有し、
前記第２プロセッサは、第１プロセッサが低い周波数の信号で動作するように構成される低周波モードと、前記第１プロセッサが高い周波数の信号で動作するように構成される高周波モードとの間で前記装置を切り替えるように動作することが可能であり；
前記カプラーの全体的なカップリング面積を増やすために、少なくとも１つの追加的なカプラーが前記低周波モードで前記第１プロセッサに接続される、記憶媒体。
【手続補正２】
【補正対象書類名】明細書
【補正対象項目名】発明の名称
【補正方法】変更
【補正の内容】
【発明の名称】身体結合通信装置、身体結合通信方法及び記憶媒体